(57)【特許請求の範囲】
【請求項１】
人体の性器部及び臀部の屈曲に対応される形状を持ち、人体の性器部及び臀部方向に開放されて人体から排出される排泄物を受け取る処理空間が形成された安着部と、人体の脚の間に装着されるように前記安着部と繋がって、内部に収容空間が形成された本体部を含むボディー体；及び
前記収容空間に備えられ、前記処理空間と連通されて前記処理空間の排泄物を外部へ排出させる排出流路；
前記安着部から延長され、人体の臀部の間の溝に挿入され、後方から前方に行くほど高さが低くなるように形成された延長部；
前記安着部の下部側かつ前記延長部の内側に付着されて人体の臀部を包むように形成された包み部と、前記安着部の周りを包むように前記安着部の両側に付着する羽部とを含んだパッド；を含む排泄物処理装置。
【請求項２】
前記処理空間は、
人体の性器部に対応する小便処理部と、人体の臀部に対応する大便処理部を含む請求項１に記載の排泄物処理装置。
【請求項３】
前記延長部は、中心から側方に行くほど高さが低くなるように形成された請求項１に記載の排泄物処理装置。
【請求項４】
前記延長部は、人体の尾骨に対応される位置に陥没溝が形成された請求項１に記載の排泄物処理装置。
【請求項５】
前記ボディー体は、上部の幅が下部の幅より狭く形成された請求項１に記載の排泄物処理装置。
【請求項６】
前記本体部の後方には外部の連結管が前記収容空間の内側に引き込まれるようにする通過穴が形成された請求項１に記載の排泄物処理装置。
【請求項７】
前記処理空間に露出されて洗浄水を噴射する噴射部を含む請求項１に記載の排泄物処理装置。
【請求項８】
前記収容空間に備えられ、外部から流入された洗浄水を前記噴射部に供給する流路切替部を含む請求項７に記載の排泄物処理装置。
【請求項９】
前記収容空間に備えられ、前記処理空間に乾燥風を送る送風部を含む請求項１に記載の排泄物処理装置。
【請求項１０】
前記処理空間に備えられ、排泄物の有無をセンシングする感知センサーを含む請求項１に記載の排泄物処理装置。
【請求項１１】
前記パッドが脱着できるように備えられる請求項１に記載の排泄物処理装置。
【請求項１２】
使用者の人体に接触されるように前記安着部の周りに沿って備えられるし、各接触領域は対応する人体部位の屈曲傾斜度に対応される傾斜度を持つ密着部材をさらに含む請求項１に記載の排泄物処理装置。
【請求項１３】
前記処理空間は、
人体の性器部に対応される小便処理部と、人体の臀部に対応される大便処理部を含み、
前記密着部材は、
前記大便処理部と前記小便処理部にそれぞれ分離された形態で備えられる請求項１２に記載の排泄物処理装置。
【請求項１４】
前記密着部材は、
使用者の臀部に接触される臀部接触領域；及び
前記臀部接触領域の両側から上部に延長され、使用者の大腿部の内側に接触される大腿部接触領域；
を含む請求項１２に記載の排泄物処理装置。
【請求項１５】
前記臀部接触領域は、人体と接触する接触面が、前記処理空間が形成された方向に上向きに傾いて形成された請求項１４に記載の排泄物処理装置。
【請求項１６】
前記大腿部接触領域は、
人体と接触する接触面が、前記処理空間が形成された方向に上向きに傾いて形成された請求項１４に記載の排泄物処理装置。
【請求項１７】
前記密着部材は、
前記大腿部接触領域から前記臀部領域に行くほど人体と接触する接触面の傾斜度が小さくなるように形成された請求項１４に記載の排泄物処理装置。
【請求項１８】
前記パッドが脱着できるように備えられ、
前記ボディー体は、前記安着部から延長されて人体の臀部に接触するように形成された前記延長部をさらに含み、
前記密着部材は、前記延長部の後方と前記パッドの厚さに対応される高さの分段差があるように形成された請求項１２に記載の排泄物処理装置。
【発明の詳細な説明】
【技術分野】
【０００１】
本発明は人体に合わせた排泄物処理装置に係り、より詳しくは、排泄物処理のために使用者の性器部及び臀部の屈曲に対応される安着部を含む、人体に合わせた排泄物処理装置に関する。
【背景技術】
【０００２】
一般に、患者、お年寄りなど、挙動が不自由、又は下体を思うまま動かしにくい人々は、自ら排泄物を処理できる能力がないので、常に保護者または介護人が周りに居つづけなければならないという不便さがあった。
【０００３】
よって、このような不便さを解消するために、身体に直接接触して排泄物を取る排泄物処理器が研究及び開発されている。このような排泄物処理器は、使用者の排泄物を受け取り、これを吸入して処理器の外側に排出させるように設計され、使用者の周りに保護者または介護人がいなくても自動的に排泄物を処理できるようにする。
【０００４】
ただし、今まで開発された従来の排泄物処理器は、排泄物の処理機能のみに集中することが多くて、使用者の身体を考慮せずに設計されていたため、非常に使用性が低いという問題があった。一般に、排泄物が排泄される臀部、または性器の周りは、屈曲が大きいので排泄物処理器に密着しにくい構造であり、これによって排泄物が人体と排泄物処理器の間から漏れることが多く発生している。
【０００５】
また、患者またはお年寄りなど、排泄物処理器を使う使用者は、ベッドに横になった状態で生活する場合が多くて、自ら姿勢を変えられない状況も多く発生している。このような状態が長期間続く場合は、床ずれなどが発生するので、周期的に姿勢を変える必要がある。しかし、排泄物処理器を着用した状態では姿勢を変えることができないので、排泄物処理器をとり除かなければならない煩わしさがあった。
【０００６】
したがって、このような問題点を解決するための方法が求められる。
【発明の概要】
【発明が解決しようとする課題】
【０００７】
本発明は、上述した従来技術の問題点を解決するために案出された発明であって、使用者が着用した状態で排泄物の漏れを防止し、着用感を向上させることができる排泄物処理装置を提供するものである。
【０００８】
また、着用した状態でも動きに制限を受けない排泄物処理装置を提供するものである。
【０００９】
本発明の課題は以上で言及した課題に制限されず、言及されていない他の課題は以下の記載から当業者に明確に理解できる。
【課題を解決するための手段】
【００１０】
前記目的を達成するための本発明の人体に合わせた排泄物処理装置は、人体の性器部及び臀部の屈曲に対応される形状を持ち、人体の性器部及び臀部方向に開放されて人体から排出される排泄物を受け取る処理空間が形成された安着部と、人体の脚の間に装着されるように前記安着部と繋がって、内部に収容空間が形成された本体部を含むボディー体、及び前記収容空間に備えられ、前記処理空間と連通されて前記処理空間の排泄物を外部に排出させる排出流路を含む。
【００１１】
そして、前記処理空間は、人体の性器部に対応される小便処理部と、人体の臀部に対応される大便処理部を含むことができる。
【００１２】
また、前記安着部から延長されて人体の臀部に接触されるように形成された延長部をさらに含むことができる。
【００１３】
そして、前記延長部は、後方から前方へ行くほど高さが低くなるように形成されることができる。
【００１４】
また、前記延長部は、中心から側方へ行くほど高さが低くなるように形成されることができる。
【００１５】
そして、前記延長部は、人体の尾骨に対応される位置に陥没した溝が形成されることができる。
【００１６】
また、前記ボディー体は、上部の幅が下部の幅より狭く形成されることができる。
【００１７】
そして、前記本体部の後方には外部の連結管が前記収容空間の内側に引き込まれるようにする通過穴が形成されることができる。
【００１８】
また、前記処理空間に露出されて洗浄水を噴射する噴射部を含むことができる。
【００１９】
そして、前記収容空間に備えられ、外部から流入された洗浄水を前記噴射部に供給する流路切替部を含むことができる。
【００２０】
また、前記収容空間に備えられ、前記処理空間に乾燥風を送る送風部を含むことができる。
【００２１】
そして、前記処理空間に備えられ、排泄物の有無をセンシングする感知センサーを含むことができる。
【００２２】
また、前記安着部の周りを包むよう、脱着できるように備えられるパッドを含むことができる。
【発明の効果】
【００２３】
前記課題を解決するための本発明の人体に合わせた排泄物処理装置は、次のような効果を奏する。
【００２４】
第一、安着部が使用者の性器部及び臀部の屈曲に対応するように形成されて使用者の身体に密着されるので、使用者が着用した状態で排泄物の漏洩を防止できる長所がある。
【００２５】
第二、本体部も使用者の脚の間の幅に対応される大きさを持つので、使用者の姿勢を自然に維持できる長所がある。
【００２６】
第三、これによって使用者の着用感が大きく向上する長所がある。
【００２７】
第四、着用した状態でも使用者が動き制限を受けないし、姿勢を自由に変更できる長所がある。
【００２８】
本発明の効果は、以上で言及した効果に制限されないし、言及されていない他の効果は特許請求範囲の記載から当業者に明確に理解できる。
【図面の簡単な説明】
【００２９】
【図１】本発明の一実施例による排泄物処理装置の全体姿を示す斜視図。
【図２】本発明の一実施例による排泄物処理装置を人体に着用した姿を示す側面図。
【図３】本発明の一実施例による排泄物処理装置の安着部にパッドを付着する姿を示す斜視図。
【図４】本発明の一実施例による排泄物処理装置を正面視した姿を示す正面図。
【図５】本発明の一実施例による排泄物処理装置において、本体部の内部構造を示す断面図。
【図６】本発明の一実施例による排泄物処理装置において、密着部材の姿を示す斜視図。
【図７】本発明の一実施例による排泄物処理装置において、密着部材の大腿部接触領域の断面を示す断面図。
【図８】本発明の一実施例による排泄物処理装置において、密着部材の臀部接触領域の断面を示す断面図。
【図９】本発明の一実施例による排泄物処理装置において、延長部の姿を示す斜視図。
【図１０】本発明の一実施例による排泄物処理装置において、延長部の姿を示す側面図。
【発明を実施するための形態】
【００３０】
以下、本発明の目的が具体的に実現され得る本発明の望ましい実施例を添付の図面を参照して説明する。本実施例を説明するにあたり、同じ構成に対しては同じ名称及び同じ符号が使われ、これによる付加的説明は省略する。
【００３１】
図１は、本発明の一実施例による排泄物処理装置１の全体姿を示す斜視図である。
【００３２】
図１に示すように、本発明の一実施例による排泄物処理装置１は、安着部１００と本体部２００を含むボディー体と、排出流路２１０を含む。
【００３３】
安着部１００は、人体の性器部及び臀部の屈曲に対応される形状を持ち、人体の性器部及び臀部方向に開放されて人体から排出される排泄物をもらう処理空間Ｔ１、Ｔ２が形成される。
【００３４】
ここで人体の性器部とは、男女の性器の周りの領域を意味し、臀部は前記性器部と繋がって肛門の周りの領域を意味する。つまり、安着部１００は人体の股座に安着するように形成され、その屈曲に対応されるように曲線状を持つ。
【００３５】
そして、処理空間Ｔ１、Ｔ２は、小便及び大便を含む排泄物をもらうように、所定の体積を持つように形成されるし、本実施例の処理空間Ｔ１、Ｔ２は、人体の性器部に対応される小便処理部Ｔ２と、人体の臀部に対応される大便処理部Ｔ１を含む。
【００３６】
すなわち、本実施例の場合、処理空間Ｔ１、Ｔ２が男性用モジュール３００によって区切られて小便及び大便を別途処理するように構成される。ただし、女性が排泄物処理装置１を使う場合、本実施例と違い、男性用モジュール３００の代わりに女性用モジュールを装着して使用できることは勿論である。前記女性用モジュールの場合、小便処理部と大便処理部が区切られずに繋がるように形成されることができる。また、本実施例と違って男性用モジュール３００と女性用モジュールは分離せずに一体に形成されることもできる。
【００３７】
本体部２００は、排泄物処理装置１を着用するとき、人体の脚の間に装着するように前記安着部１００と連結される。すなわち、使用者は安着部１００を性器部及び臀部に密着させた状態で、本体部２００の両側に脚を伸ばして安定的に排泄物処理装置１を着用することができる。
【００３８】
そして、図面に示してはいないが、本体部２００の内部には収容空間が備えられ、前記収容空間には各種構成要素を備えることができる。これに対しては後述する。
【００３９】
一方、以下での説明の便宜のために、処理空間Ｔ１、Ｔ２が開放された方向側を前方と定義し、反対方向を後方と定義する。また、小便処理部Ｔ２が備えられた方向を上部、反対方向を下部と定義する。
【００４０】
排出流路２１０は前記収容空間に備えられ、処理空間Ｔ１、Ｔ２と連通されて処理空間Ｔ１、Ｔ２の排泄物を外部に排出させる構成要素である。特に、本実施例で本体部２００の後方には外部の連結管が前記収容空間の内側に引き込まれるようにする通過穴２０２が形成される。
【００４１】
前記連結管は、別途の吸入装置を利用して排泄物を吸い込むように繋がった排泄物流動管、洗浄水を供給する洗浄水流動管などを含むことができる。つまり、排出流路２１０は排泄物流動管と繋がって排泄物を外部へ排出させられるようになる。
【００４２】
図２は、本発明の一実施例による排泄物処理装置１を人体に着用した姿を示す側面図である。
【００４３】
図２に示すように、使用者はベッドなどに横になった状態で安着部１００を性器部及び臀部に密着させ、本体部２００の両側に脚を伸ばして安定的に排泄物処理装置１を着用することができる。このように本発明の一実施例による排泄物処理装置１は、人体の形状に対応するように形成されるので、使用者が排泄物処理装置１に合わせて姿勢をむりやりに変更する必要がなく、自然な姿勢を維持することができる。
【００４４】
さらに、使用者が姿勢を側方など多様に変更する場合も離脱されず、使用者の身体にそって移動し、使用者が動く場合も脚の間に位置された状態で動きに支障を与えない。
【００４５】
図３は、本発明の一実施例による人体に合わせた排泄物処理装置１の安着部１００にパッド２０を付着する姿を示す斜視図である。
【００４６】
図３に示すように、本発明の一実施例による排泄物処理装置１は、安着部１００の周りを包むよう、脱着できるように備えられるパッド２０を含むことができる。パッド２０は、布などの材質で形成されて使用者の着用感を向上させることができるし、また、排泄物処理装置１を使用者の身体に安定的に固定させることができる。
【００４７】
本実施例の場合、パッド２０は包み部２２と羽部２４を含む。包み部２２は、安着部１００の下部側に付着されて使用者の臀部を包むように形成され、羽部２４は安着部１００の周りを包むように付着する。一方、パッド２０を安着部１００に付着するために、安着部１００とパッド２０にはベルクロ（Ｖｅｌｃｒｏ：登録商標）が備えられることがある。すなわち、安着部のベルクロ１０２とパッド側のベルクロ２６が互いに対応するように形成され、パッド２０を容易に付着することができる。そして、本実施例の場合、各羽部２４には固定ベルクロ２８がそれぞれ備えられ、各羽部２４を相互固定させることができる。
【００４８】
図４は、本発明の一実施例による排泄物処理装置１を正面視した姿を示す正面図である。
【００４９】
図４には安着部１００の処理空間Ｔ１、Ｔ２がより詳しく示される。前述のように、本実施例における処理空間Ｔ１、Ｔ２は、小便処理部Ｔ２と大便処理部Ｔ１を含み、処理空間Ｔ１、Ｔ２には排泄物を処理するための多様な構成要素が備えられることができる。
【００５０】
噴射部は、処理空間Ｔ１、Ｔ２に露出されて洗浄水を噴射する構成要素であって、一つ以上の噴射ノズルを含むことができる。本実施例の場合、前記噴射部は、大便処理部Ｔ１側に洗浄水を噴射する回転ノズル２４０と、補助ノズル３３４と、図面に示していないが小便処理部Ｔ２側に洗浄水を噴射する上部ノズルを含む。
【００５１】
すなわち、回転ノズル２４０は角度を調節できるように形成されて人体の臀部の周りを洗浄し、補助ノズル３３４は大便処理部Ｔ１の表面を洗浄できるように洗浄水を散布する。また、上部ノズルは、性器部及び小便処理部Ｔ２の表面を洗浄できるように洗浄水を噴射する。
【００５２】
そして、本実施例において、処理空間Ｔ１、Ｔ２には乾燥風が流動されて噴射される乾燥風噴射口２３２がさらに形成され、これによって洗浄後の水分を速かに乾燥させることができる。
【００５３】
一方、図面に示すように、安着部１００と本体部を含むボディーは、前方から見た時上部の幅ｄ１が下部の幅ｄ２より狭く形成される。つまり、人体の大腿部の屈曲に対応される形状を持ち、これによって使用者の両脚は排泄物処理装置１のボディー体の両側に安定的に密着される。また、ボディー体は使用者の股の間の幅と対応される幅を持つように形成され、使用者がむりやり股を開くことなく自然な姿勢を取ることができる。
【００５４】
そして、本実施例において、安着部１００の周りには使用者の身体に密着する密着部材１１０が備えられる。密着部材１１０は、安着部１００の周りのラインに沿って帯状で備えられ、着用感を向上させることができる。
【００５５】
図５は、本発明の一実施例による排泄物処理装置１において、本体部２００の内部構造を示す断面図である。
【００５６】
図５に示すように、本体部２００の内部には収容空間が形成され、前記収容空間には多様な構成要素が備えられることができる。本実施例の場合、前記収容空間には前述した排出流路２１０を始め、流路切替部２２０と送風部２３０が備えられる。
【００５７】
排出流路２１０は、通過穴２０２を通じて流入された排泄物流動管Ｈ１と繋がって排泄物を外部へ排出させることができる。特に、本実施例の場合、男性用モジュール３００側で受け取った小便は、補助排出流路２２８を通じて排出流路２１０に流入されるように形成される。
【００５８】
そして、流路切替部２２０は、通過穴２０２を通じて流入された洗浄水流動管Ｈ２と繋がって外部から洗浄水を伝達してもらう構成要素であり、ソレノイドバルブなどを通じて洗浄水を複数の噴射ノズル側に分枝させて供給することができる。具体的に、本実施例の場合、流路切替部２２０に貯蔵された洗浄水は第１供給流路２２４を通じて回転ノズル側に、第２供給流路２２６を通じて補助ノズル及び上部ノズル側に流動されることができる。
【００５９】
送風部２３０は前記処理空間に乾燥風を送る構成要素であり、送風ファンなどで乾燥風を発生させ、前述の乾燥風噴射口を通じて処理空間側に乾燥風を送風させることができる。また、乾燥風の昇温のためにヒーターがさらに備えられることもできる。
【００６０】
そして、本実施例において、本体部２００の後面には外部の空気を流動させて収容空間の内部を換気することができる空気流入口２０４が形成される。
【００６１】
図６は、本発明の一実施例による排泄物処理装置において、密着部材１１０の姿を示す斜視図である。
【００６２】
図６に示すように、本実施例の場合、密着部材１１０をさらに含む。密着部材１１０は使用者の人体に接触するように前記安着部の周りに沿って備えられるし、各接触領域は、対応される人体部位の屈曲傾斜度に対応する傾斜度を有する。つまり、密着部材１１０は、使用者の身体屈曲と類似の傾斜度を持つように形成されるので、着用時の異物感、または痛みが生じないようにする役割をする。
【００６３】
一方、本実施例における処理空間は、前記大便処理部と前記小便処理部を含むので、密着部材１１０も前記大便処理部と前記小便処理部それぞれに複数個に分離された形態で備えられることができる。
【００６４】
図６の場合、大便処理部に備えられる密着部材１１０を示すもので、小便処理部に備えられる密着部材は小便処理部の形状によって異に形成されることができる。
【００６５】
そして、密着部材１１０は、使用者の臀部に接触される臀部接触領域１１４と、臀部接触領域１１４の両側で上部に延長されるし、使用者の大腿部１１２の内側に接触される大腿部接触領域を含む。すなわち、人体の臀部と大腿部の内側は相異なる傾斜度を持つので、各領域は該当部位に対応される傾斜度を持つように形成される。
【００６６】
図７は、本発明の一実施例による排泄物処理装置において、密着部材の大腿部接触領域の断面を示す断面図である。
【００６７】
図７は、図６のＡ-Ａ切断面を示すもので、大腿部接触領域１１２の傾斜度を確認することができる。図面に示すように、大腿部接触領域１１２は、人体と接触される接触面が、前記処理空間が形成された方向へと上向きに傾くように形成されることができる。したがって、大腿部接触領域１１２の断面は、左右方向に延長された水平線から第１角度θ１の分傾いた形態を持つようになる。
【００６８】
すなわち、これによって、大腿部接触領域１１２は使用者の大腿部の屈曲に対応される形状で形成される。
【００６９】
図８は、本発明の一実施例による排泄物処理装置において、密着部材の臀部接触領域１１４の断面を示す断面図である。
【００７０】
図８は、図６のＢ-Ｂ切断面を示すもので、臀部接触領域１１４の傾斜度を確認することができる。図面に示すように、臀部接触領域１１４は、人体と接触される接触面が、前記処理空間が形成された方向へ上向きに傾くように形成されることができる。したがって、臀部接触領域１１４の断面は、前後方向に延長された水平線から第２角度θ２の分傾いた形態を持つようになる。
【００７１】
つまり、これによって、臀部接触領域１１４は、使用者の大腿部の屈曲に対応される形状で形成される。
【００７２】
一方、密着部材１１０は、大腿部接触領域１１２から臀部領域１１４に行くほど人体と接触する接触面の傾斜度が小さくなるように形成されることができる。すなわち、密着部材１１０は人体の大腿部から臀部に至るまでの曲線に対応するように形成され、これによって使用者に心地よい着用感を提供することができる。
【００７３】
図９は、本発明の一実施例による排泄物処理装置において、延長部１２０の姿を示す斜視図である。
【００７４】
図９に示すように、本発明の一実施例による排泄物処理装置は、安着部１００から延長され、人体の臀部に接触されるように形成された延長部１２０をさらに含む。
【００７５】
延長部１２０は人体の臀部方向に長く延長され、これによって臀部を支持するように形成される。したがって、使用者の着用感をより向上させ、排泄物処理装置を人体にさらに安定的に固定させることができる。
【００７６】
また、延長部１２０が形成されることにより、安着部１００と延長部１２０は全体的に人体の性器部から臀部の恥骨に至るまで、全体的に屈曲にそって包む形態で形成され、内部の排泄物が外部に漏れないように人体に隙間なく密着できるようになる。
【００７７】
そして、本実施例において、延長部１２０には人体の尾骨に対応する位置に陥没溝１２２が形成される。陥没溝１２２は、使用者が臀部を延長部１２０上に安着させた場合に突出された尾骨が延長部の面に押されることを防ぐために陥没された形態で形成され、これによって使用者は尾骨を陥没溝１２２に挿入して心地よい着用感を感じることができる。
【００７８】
一方、図面に示すように、処理空間には大便感知センサー１０４及び小便感知センサー１０５を含む感知センサーが備えられて排泄物の有無をセンシングすることができ、排泄物があると判断された場合、各構成要素を制御する。本実施例において、大便感知センサー１０４は大便処理空間の両側に位置され、小便感知センサー１０５は大便処理空間の底及び排出流路２１０に備えられる。
【００７９】
図１０は、本発明の一実施例による排泄物処理装置において、延長部１２０の姿を示す側面図である。
【００８０】
図１０に示すように、安着部１００と延長部１２０は、側面視した時全体的に人体の屈曲に対応するように自然な曲線形態で形成されることを確認することができる。
【００８１】
このとき、延長部１２０は、後方から前方に行くほど高さが低くなるように形成される。すなわち、延長部１２０の後方の高さｄ３は前方の高さｄ４より高く形成され、後方から前方に行くほどだんだん高さが低くなるように傾いて形成される。また、延長部１２０は中心から側方へ行くほど高さが低くなるように形成される。
【００８２】
これにより、使用者が臀部を延長部１２０上に安着させた場合、異物感を感じなくなり、臀部の分れた部分に密着して心地よい着用感を感じられるようになる。
【００８３】
一方、本実施例における密着部材１１０は、延長部１２０の後方から所定の高さｄ５で段差があるように形成される。これは前述のパッドを安着部１００の周りに付着させた場合、密着部材１１０とパッドとで段差がないようにするためであり、よって前記段差の高さｄ５はパッドの厚さに対応され得る。
【００８４】
以上で説明したように、本発明の排泄物処理装置は、安着部が使用者の性器部及び臀部の屈曲に対応するように形成され、本体部やはり使用者の股の間の幅に対応される大きさを持つので、使用者の姿勢を自然に維持し、着用感を向上させ、排泄物の漏れを防ぐことができる。
【００８５】
以上のように、本発明による望ましい実施例を察してみたが、前述した実施例の他にも本発明がその趣旨や範疇から脱することなく、別の特定形態で具体化できるという事実は、当該技術における通常の知識を有する者には自明なことである。したがって、前述した実施例は制限的なものではなく例示的なものとされるべきであり、これによって、本発明は前述した説明に限定されず、添付の請求項の範疇及びそれと同等な範囲内で変更されてもよい。
【図１】
0006681411.tif 000002
【図２】
0006681411.tif 000003
【図３】
0006681411.tif 000004
【図４】
0006681411.tif 000005
【図５】
0006681411.tif 000006
【図６】
0006681411.tif 000007
【図７】
0006681411.tif 000008
【図８】
0006681411.tif 000009
【図９】
0006681411.tif 000010
【図１０】
0006681411.tif 000011